(57)【要約】【課題】除草用の蒸気発生装置をパレットに搭載し、該パレットを介して蒸気発生装置のトラックあるいは台車等への積み降ろしを迅速に行って、蒸気による除草作業が機敏にかつ安全に行なえるようにする。【解決手段】トラックあるいは台車等の荷台（３）に載置、離脱可能なパレット（１０）を設け、該パレット（１０）に蒸気発生装置（１５）の各機器を配管して搭載し、蒸気発生装置（１５）の蒸気吐出側に蒸気供給ホース（２２）を接続するとともに、該蒸気供給ホース（２２）の先端部に蒸気噴出ノズル（２５）を設け、前記パレット（１０）にフォークリフトの爪嵌合孔（１３）を設ける。【選択図】図１
2011045290.tif 000002
【特許請求の範囲】
【請求項１】
トラックあるいは台車等の荷台（３）に載置、離脱可能なパレット（１０）を設け、該パレット（１０）に蒸気発生装置（１５）の各機器を配管して搭載し、蒸気発生装置（１５）の蒸気吐出側に蒸気供給ホース（２２）を接続するとともに、該蒸気供給ホース（２２）の先端部に蒸気噴出ノズル（２５）を設け、前記パレット（１０）にフォークリフトの爪嵌合孔（１３）を設けたことを特徴とする可搬式蒸気除草装置。
【請求項２】
蒸気発生装置（１５）の機器として、ボイラー（１６）、給油タンク（１８）、給水タンク（１９）、及び軟水器（２０）を有し、前記給水タンク（１９）の下部、及び軟水器（２０）の下部をパレット（１０）に固定した筒状の保持ケース（１１，１２）に嵌合させたことを特徴とする請求項１記載の可搬式蒸気除草装置。
【発明の詳細な説明】
【技術分野】
【０００１】
本発明は、蒸気発生装置をトラックあるいは自走形の台車等に搭載した状態で、雑草に蒸気を噴霧し、該蒸気で雑草を加熱して枯させる可搬式蒸気除草装置に関するものである。
【背景技術】
【０００２】
従来の技術として、特許文献１があった。即ち、２トントラックほどの貨物車両に、水タンク、ボイラー、重油タンク、小型発電機、耐熱ホース、耐熱ホースの巻き取り装置等の各機器を搭載し、水タンクから供給された水をボイラーで加熱して耐熱ホースに供給し、該耐熱ホースの先端部に接続したノズルから蒸気を雑草に向けて噴霧し、該雑草を加熱して枯させるトラック搭載用蒸気除草装置があった。
【０００３】
前記特許文献１は、環境を汚染せず、安全で効率のよい除草が行えることになる。しかしながら、蒸気を発生、噴出させるための各機器がトラックの荷台の床面に個々に設置されていたので、各機器をトラックに搭載する際には、各機器をトラックの荷台上で位置決めしたり配管したりする必要があり、また、各機器をトラックから降ろす際には、各機器及び配管の取り外しをトラックの荷台上で行うこととなり、各機器のトラックへの積み降ろしに手数を要するものであった。
【先行技術文献】
【特許文献】
【０００４】
【特許文献１】特開２００２−１４２６４８号公報
【発明の概要】
【発明が解決しようとする課題】
【０００５】
本発明は、除草用の蒸気発生装置をパレットに搭載し、該パレットを介して蒸気発生装置のトラックあるいは自走形の台車等への積み降ろしが行えるようにすることにより、蒸気による除草作業が機敏にかつ安全に行なえる新規な可搬式蒸気除草装置を得ることを目的とする。
【課題を解決するための手段】
【０００６】
本発明は前記目的を達成するために、以下の如く構成したものである。即ち、請求項１に係る発明は、トラックあるいは台車等の荷台の床面に載置、離脱可能なパレットを設け、該パレットに蒸気発生装置の各機器を配管して搭載し、蒸気発生装置の蒸気吐出側に蒸気供給ホースを接続するとともに、該蒸気供給ホースの先端部に蒸気噴出ノズルを設け、前記パレットにフォークリフトの爪嵌合孔を設ける構成にしたものである。
請求項２に係る発明は、蒸気発生装置の機器として、ボイラー、給油タンク、給水タンク、及び軟水器を有し、前記給水タンクの下部、及び軟水器の下部をパレットに固定した筒状の保持ケースに嵌合させる構成にしたものである。
【発明の効果】
【０００７】
本発明の請求項１に係る発明は、パレットの爪嵌合孔にフォークリフトの爪を嵌合させると、該フォークリフトによりパレットを介して蒸気発生装置の各機器を一括してトラックあるいは台車等に搭載することができる。そして、蒸気発生装置を作動させ、蒸気噴出ノズルから蒸気を雑草に向けて噴出させると、該雑草が加熱されて枯死することになる。また、蒸気発生装置をトラックあるいは台車から降ろす際には、パレットの爪嵌合孔にフォークリフトの爪を嵌合させることにより、該フォークリフトにより、パレットを介して蒸気発生装置の各機器をトラックあるいは台車から一括して降ろすことができる。このため、トラックあるいは台車の荷台部を改造することなく、一般のトラックあるいは台車に除草用の蒸気発生装置の各機器を迅速に積み降ろしすることができ、蒸気による除草作業が機敏にかつ安全に行なえることになる。
【０００８】
請求項２に係る発明は、パレットに固定した筒状の保持ケースに蒸気発生装置の給水タンクの下部及び軟水器の下部を嵌合させるようにしたので、該給水タンク及び軟水器を上下に細長くしてタンク容量及び軟水機能を増大させながら、限られた面積のパレットに安定して搭載することができる。
【図面の簡単な説明】
【０００９】
【図１】本発明の実施例を示す蒸気発生装置のトラック搭載状態の斜視図である。
【図２】蒸気発生装置のパレット搭載状態を示す斜視図である。
【図３】蒸気噴出ノズル部の第１実施例を示す拡大断面図である。
【図４】蒸気噴出ノズル部の第２実施例を示す拡大断面図である。
【図５】蒸気噴出ノズル部の第３実施例を示す拡大断面図である。
【図６】図５のVI-VI視図である。
【発明を実施するための形態】
【００１０】
図１、図２において、１は軽トラックであり、運転室２の後部に荷台３を有し、該荷台３の床４は左右幅が約１４００ｍｍ、前後幅が約２０００ｍｍとなっている。前記荷台３にパレット１０を介して除草用の蒸気発生装置１５を搭載する。パレット１０は市販のスチール製からなり、その大きさは、軽トラックあるいは自走形の台車に搭載できる、縦横の幅が共に１１００ｍｍ、又は共に１２００ｍｍとなる偏平な正方形状に形成され、側面にフォークリフトの爪が嵌合する爪嵌合孔１３を有する。なお、前記パレット１０は、プラスチックあるいは木材により形成してもよい。
【００１１】
蒸気発生装置１５は、ボイラー１６、給油タンク１８、給水タンク１９、軟水器２０、汽水分離器２１等を有し、これらを図２に示すように、パレット１０に搭載して互いに配管接続する。即ち、ボイラー１６は、密閉された円筒状の胴部１６ａを、ブラケットを介してパレット１０上面の前部に固定し、該胴部１６ａの上部にバーナー１６ｂを、側部に水位レベルタンク１６ｃ及び煙突１６ｄを連結してなり、前記バーナー１６ｂは制御盤１７によって制御される。
【００１２】
前記給水タンク１９及び軟水器２０は、その下部をパレット１０上面の、図２において右部に溶接あるいはボルトにより固定した角筒状の保持ケース１１，１２に嵌合させて起立保持する。また、制御盤１７、給油タンク１８、給水ポンプ等は、パレット１０の上面にブラケットを介してボルト締め固定する。
【００１３】
そして、水道水の水を軟水器２０により軟化して給水タンク１９に収容し、該給水タンク１９の水をボイラー１６の胴部に供給する。該ボイラに供給された水をバーナー１６ａで加熱して蒸気を生成して汽水分離器２１に送出し、該汽水分離器２１で蒸気内の水分を除去する。汽水分離器２１で水分が除去された蒸気は、該汽水分離器２１の上部に接続した蒸気供給ホース２２から外部に送出され、図１に示すように、蒸気供給ホース２２の先端部に取り付けた蒸気噴出ノズル２５から約１２０℃の蒸気が噴出される。
【００１４】
前記蒸気噴出ノズル２５は、図１に示すように、蒸気供給ホース２２の先端部に接続された断熱カバー付きの操作管２３、カムロック形の管継手２４を介して着脱可能、かつ回転可能に取り付けられる。そして、作業者は前記操作管２３を操作することによって蒸気噴出ノズル２５から噴出される蒸気を雑草Ｋに向けて吹き付け、該雑草Ｋを加熱枯死させる。
【００１５】
図３は蒸気供給ホース２２の先端部外周に円錐台状のフード２６を取付け、該フード２６により蒸気噴出ノズル２５部の雑草Ｋ１を包囲するようにしたものである。このようにすれば、蒸気噴出ノズル２５部の雑草Ｋ１を蒸気により効率よく加熱して枯死させることができる。図４は蒸気噴出ノズル２５の先端部に、地面Ｇに突き刺す注射針形の突き刺しノズル２７を接続し、蒸気供給ホース２２の先端部外周に円錐台状のフード２６を取付け、該フード２６により突き刺しノズル２７部の雑草Ｋ１を包囲するようにしたものである。このものは、根の深い雑草に適用するもので、突き刺しノズル２７を雑草Ｋ１の根部の地面に差込んで蒸気を噴出することにより、雑草Ｋ１の根部を加熱して該雑草Ｋ１を効率よく枯死させることができる。
【００１６】
図５、図６は芝生のような背丈の低い雑草を効率よく加熱枯死させるようにしたものである。即ち、操作管２３の先端部に、カムロック形の管継手２４を介して長方形状の蒸気噴出管２８を接続する。該蒸気噴出管２８は、ステンレス管、あるいはプラスチック管を屈曲させて左右が広幅な長方形の枠状に屈曲させ、下面側に小径の蒸気噴出ノズル２８ａを長手方向に所定の間隔をおいて形成し、上面を天板２９により覆って浅い容器状とする。そして、操作管２３を操作して蒸気噴出管２８を地面（雑草）に沿って移動させることにより、背丈の低い雑草を効率よく加熱枯死させる。
【００１７】
前記実施例によれば、軽トラック（トラック）１に除草用の蒸気発生装置１５を搭載するようにしたので、狭い道路や農道であっても軽トラック１を介して蒸気発生装置１５を所定の場所へ容易に運搬することができる。この場合、蒸気発生装置１５の各機器をパレット１０に一括して搭載するようにしたので、フォークリフトによりパレット１０を介して蒸気発生装置１５の各機器を軽トラック１の荷台部、あるいは自走形の台車の荷台部等に一気に積み降ろしすることができ、軽トラック１、あるいは台車等の荷台部を改造することなく、除草用の蒸気発生装置１５を迅速に積み降ろしすることができ、蒸気による除草作業が機敏にかつ安全に行なえることになる。
【００１８】
また、雑草を蒸気で加熱枯死させるようにしたので、従来と同様に、農薬や除草剤等の使用を省略して有機農法による農作業が可能となる。また、刈り払い機による除草を省略して除草による労力を低減することができる。
【符号の説明】
【００１９】
１    軽トラック（トラック）
２    運転室
３    荷台
４    床
１０    パレット  
１１，１２    保持ケース
１３    爪嵌合孔
１５    蒸気発生装置
１６    ボイラー
１６ａ  胴部
１６ｂ  バーナー
１６ｃ  水位レベルタンク
１６ｄ  煙突
１７    制御盤
１８    給油タンク
１９    給水タンク
２０    軟水器
２１    汽水分離器
２２    蒸気供給ホース
２３    断熱カバー付きの操作管
２４    管継手（カムロック）
２５    蒸気噴出ノズル
２６    フード
２７    突き刺しノズル
２８    蒸気噴出管
２８ａ  蒸気噴出ノズル
２９    天板
Ｇ      地面
Ｋ（Ｋ１）      雑草
【図１】
2011045290.tif 000003
【図２】
2011045290.tif 000004
【図３】
2011045290.tif 000005
【図４】
2011045290.tif 000006
【図５】
2011045290.tif 000007
【図６】
2011045290.tif 000008